(57)【要約】    【課題】  装置全体の小型化を図りつつ、偏光状態を揃えて各色光を同一方向から出射することができ、被照射面を明るく、かつ各色光で均一に照明することができる光源装置及びそれを有する照明装置を得ること。    【解決手段】    第１、第２、第３色光を発する第１、第２、第３光源と、非平行に配置された第１、第２偏光分離面と、１／４位相差板と、反射面と、を有し、該第１、第２、第３色光を合成した光束を出射方向に発するとき、これらの各部材の配置を適切に設定したこと。【選択図】図１
2009003062.tif 000002
【特許請求の範囲】
【請求項１】
第１色光を発する第１光源と、
第２色光を発する第２光源と、
第３色光を発する第３光源と、
第１の偏光分離面と、
該第１偏光分離面と非平行に配置された第２偏光分離面と、
１／４位相差板と、
反射面と、
を有し、該第１、第２、第３色光を合成した光束を出射方向に発する光源装置であって、
該第３色光のうち第１偏光光の第１部分光を、該第１偏光分離面に該第３光源側から入射させ、該第１偏光分離面によって反射されて該出射方向に導いており、
該第３色光のうち該第１偏光光と偏光方向が直交する第２偏光光の第２部分光を、該第１偏光分離面及び該第２偏光分離面を透過させ、該１／４位相差板、該反射面、再度、該１／４位相差板を経ることにより偏光方向を９０度回転させた後、該第２偏光分離面の該第３光源の反対側の面に入射させ、該第２偏光分離面で反射させて該出射方向に導いており、
該第１偏光分離面が、該第１部分光と、該第１偏光分離面に該第３光源からの光束の入射方向と異なった方向から入射する該第１色光及び該第２色光とを合成した光束を該出射方向に導いており、
該第２偏光分離面が、該第２部分光と、該第２偏光分離面に該第３光源側の光束の入射方向と異なった方向から入射する該第１色光及び該第２色光とを合成した光束を該出射方向に導いていることを特徴とする光源装置。
【請求項２】
前記出射方向から出射する前記第１、第２、第３色光の偏光状態は同じであることを特徴とする請求項１記載の光源装置。
【請求項３】
前記第１偏光分離面と第２偏光分離面とは直交していることを特徴とする請求項１又は２記載の光源装置。
【請求項４】
前記第３光源は、前記第１、第２光源が光を発する方向に対して直交する方向又は平行方向に光を発していることを特徴とする請求項１、２又は３記載の光源装置。
【請求項５】
前記第１光源は、前記第３光源が光を発する方向に対して直交する方向に光を発し、前記第２光源は、前記第１光源が光を発する方向に対して平行方向に光を発していることを特徴とする請求項１、２又は３記載の光源装置。
【請求項６】
互いに異なる色光を放射する３つの光源と、
該３つの光源からの各光束の偏光状態を揃え、合成する偏光変換手段と、λ／４板と、反射面とを有し、
該偏光変換手段を介した光束を出射方向に発する光源装置であって、
該偏光変換手段は、所定の色光に対しては偏光分離作用を有する第１の偏光分離面を含む第１のプリズム素子と、第２の偏光分離面を含む第２のプリズム素子と、を有しており、
第１、第２のプリズム素子は各々４つの透過面を有し、該第１、第２の偏光分離面は該第１、第２のプリズムの内部にそれぞれの透過面に対して４５°の角度で配置されており、
該第１、第２のプリズムの各々の４つの透過面のうち、それぞれ１つの透過面１ａ、２ａは該偏光変換手段の出射面を構成しており、
第１のプリズム素子と第２のプリズム素子はそれぞれの１つの透過面が近接又は接着して配置されており、
該３つの光源のうち少なくとも１つの光源は、光源光軸が該出射面の法線方向とは直交するように配置されており、
該１つの光源からの光束は該第１のプリズム素子の透過面１ａとは異なる面から入射し、第１の偏光方向の光は該第１の偏光分離面において該透過面１ａに向けて光が反射され、第１の偏光方向と直交する第２の偏光方向の光は第２のプリズム素子に入射し、
該第２のプリズム素子に入射した第２の偏光方向の光は、第２の偏光分離面を介して、該λ／４板を透過し、該反射ミラーで反射し、再び該λ／４板を透過して、第２のプリズム素子に、第１の偏光方向の光として再入射して、該第２の偏光分離面を介して該第２のプリズム素子の透過面２ａに向けて光が反射され、
該１つの光源以外の光源からの光は、該第１、第２のプリズム素子の、該１つの光源からの光が該透過面１ａ、２ａに至る間に透過する該４つの透過面のうちの３つの透過面とは異なる透過面から入射し、それぞれ該第１、第２の偏光分離面を介して該透過面１ａ、２ａから出射するように構成されていることを特徴とする光源装置。
【請求項７】
互いに異なる色光を放射する３つの光源と、
該３つの光源からの各光束の偏光状態を揃え、合成する偏光変換手段と、λ／４板と、反射面とを有し、
該偏光変換手段を介した光束を出射方向に発する光源装置であって、
該偏光変換手段は、所定の色光に対しては偏光分離作用を有する第１の偏光分離面を含む第１のプリズム素子と、第２の偏光分離面を含む第２のプリズム素子と、を有しており、
第１のプリズム素子は透過面１ａ、１ｂ、１ｃ、１ｄを、第２のプリズム素子は透過面２ａ、２ｂ、２ｃ、２ｄを有し、該第１、第２の偏光分離面は該第１、第２のプリズムの内部にそれぞれの透過面に対して４５°の角度で配置されており、
前記透過面１ａ、２ａは該偏光変換手段の出射面を構成しており、
前記透過面１ｂ、２ｂは互いに対向して配置されており、
該３つの光源のうち少なくとも１つの光源は、光源光軸が該出射面の法線方向とは直交するように配置されており、
該１つの光源からの光束は該透過面１ｃから入射し、第１の偏光方向の光は該第１の偏光分離面において該透過面１ａに向けて光が反射され、
第１の偏光方向と直交する第２の偏光方向の光は前記透過面１ｂ、２ｂを透過して第２のプリズム素子に入射し、該第２のプリズム素子に入射した第２の偏光方向の光は、第２の偏光分離面を介して、該透過面２ｃ、該λ／４板を透過し、該反射ミラーで反射し、再び該λ／４板、該透過面２ｃを透過して、第２のプリズム素子に、第１の偏光方向の光として再入射して、該第２の偏光分離面を介して該透過面２ａに向けて光が反射され、
該１つの光源以外の光源からの光は、該透過面１ｄ、２ｄを透過して前記第１、２のプリズム素子に入射し、それぞれ該第１、第２の偏光分離面を介して該透過面１ａ、２ａから出射するように構成されていることを特徴とする光源装置。
【請求項８】
前記偏光変換手段は、前記３つの光源からの光のうち、任意の２色光の偏光分離および色合成を行うことを特徴とする請求項６又は７記載の光源装置。
【請求項９】
前記光源装置は、ダイクロイックミラーを有することを特徴とする請求項６又は７記載の光源装置。
【請求項１０】
前記光源装置から出射される光束の出射方向と前記１つの光源の光源光軸を含む平面に対して垂直方向に前記光源装置が複数個並べられていることを特徴とする請求項６乃至９のいずれか１項記載の光源装置。
【請求項１１】
前記光源装置が前記反射ミラーに対し、対称に２つ設けられていることを特徴とする請求項６乃至９記載のいずれか１項の光源装置。
【請求項１２】
請求項１乃至１１記載のいずれか１項の光源装置からの光束で被照射面を照射することを特徴とする照明装置。
【請求項１３】
前記光源装置の光出射側にインテグレーター照明部を有することを特徴とする請求項１２記載の照明装置。
【請求項１４】
請求項１２又は１３記載の照明装置と該照明装置からの光束で照明された画像表示素子を、所定面上に投射する投射光学系とを有することを特徴とする画像投射装置。
【発明の詳細な説明】
【技術分野】
【０００１】
本発明は光源装置及びそれを有する照明装置に関し、例えば液晶パネル（画像表示素子）に基づく投影像原画をスクリーン面上に拡大投影する液晶プロジェクターに好適なものである。
【背景技術】
【０００２】
従来、液晶パネルなどの画像表示素子に基づく投影像原画をスクリーン面上に拡大投影するようにした画像投射装置（液晶プロジェクター）が種々と提案されている。
【０００３】
液晶プロジェクターとして、カラー液晶プロジェクターでは、Ｒ光、Ｇ光、Ｂ光の３色光の画像に基づく３つの画像表示素子を光源手段からの光（光束）を色分解した色光で各々照明している。
【０００４】
そして３つの画像表示素子を介したそれぞれの色光を色合成手段を介して１つの投射レンズ（投射光学系）でスクリーン面上に投射する構成が知られている。
【０００５】
従来、画像投射装置に対して装置全体の小型化が要望されている。それに伴い画像投射装置に用いる光源装置の小型化が強く要望されている。
【０００６】
そのような背景の中で光源の実装密度が高く、複数の色光を発する光源からの光束を任意の偏向方向にそろえて出射する構成の光源装置を用いた画像投射装置が提案されている（特許文献１）。
【０００７】
特許文献１の画像投射装置では、Ｒ、Ｇ、Ｂの色光を発するＬＥＤ光源の中から任意の２色のＬＥＤ光源（ＬＥＤランプ）を組み合わせる事で構成されている。２つのＬＥＤランプは、各々の光軸が平行となるように同一平面上に配置されている。
【０００８】
発光色の異なる２種類のＬＥＤランプを１つの組として、ダイクロイックミラー、１／４波長板、偏光ビームスプリッタと順次組合されて１個のＬＥＤランプユニットを構成している。
【０００９】
１個のＬＥＤランプユニットからは一方の偏光光に統一された２色の色光が重ねられた状態で出射される。
【００１０】
それぞれのＬＥＤランプは密接して配列させることができ、２種類の発光色を出射するＬＥＤランプユニットを所定の組合せで配置することにより所望の各発光色の出射強度を得ている。
【００１１】
そして各色の光束を集光光学系を用いて被照射面上で重畳するようにしている。これによって被照射面上での照射光が白色光となるようにしている。
【００１２】
そしてカラー表示を行うためには、各色光を順次発光させて表示パネル（液晶パネル）を照明している。
【特許文献１】特開２００５−２０２２１０号公報
【発明の開示】
【発明が解決しようとする課題】
【００１３】
近年、画像投射装置には装置全体が小型であるとともに、投射画像に色ムラがないことが要望されている。
【００１４】
装置全体が小型であるためには、液晶パネルを照明する照明装置を構成する光源手段の構成を適切に設定することが重要である。
【００１５】
又、投射画像に色ムラがないためには、光源装置から出射する各色光の出射方向を揃えて液晶パネルを照明することが重要である。
【００１６】
各色光で出射方向が異なると被照射面を各色光で同一状態で照明することができなく、投射画像に色ムラが発生しやすくなる。
【００１７】
特にカラー液晶プロジェクターの場合には、Ｒ、Ｇ、Ｂ光で液晶パネルを同一方向から照明しないと投射画像に色ムラが発生しやすくなる。
【００１８】
この他、光の利用効率を高めて、被照射面を明るく照明するには光源装置の構成を適切に設定し、全体の小型化を図りつつ、偏光状態を揃えて出射するのが重要である。
【００１９】
本発明は、装置全体の小型化を図りつつ、偏光状態を揃えて各色光を同一方向から出射することができ、被照射面を明るく、かつ各色光で均一に照明することができる光源装置及びそれを有する照明装置の提供を目的とする。
【課題を解決するための手段】
【００２０】
本発明の光源装置は、
第１色光を発する第１光源と、
第２色光を発する第２光源と、
第３色光を発する第３光源と、
第１の偏光分離面と、
該第１偏光分離面と非平行に配置された第２偏光分離面と、
１／４位相差板と、
反射面と、
を有し、該第１、第２、第３色光を合成した光束を出射方向に発する光源装置であって、
該第３色光のうち第１偏光光の第１部分光を、該第１偏光分離面に該第３光源側から入射させ、該第１偏光分離面によって反射されて該出射方向に導いており、
該第３色光のうち該第１偏光光と偏光方向が直交する第２偏光光の第２部分光を、該第１偏光分離面及び該第２偏光分離面を透過させ、該１／４位相差板、該反射面、再度、該１／４位相差板を経ることにより偏光方向を９０度回転させた後、該第２偏光分離面の該第３光源の反対側の面に入射させ、該第２偏光分離面で反射させて該出射方向に導いており、
該第１偏光分離面が、該第１部分光と、該第１偏光分離面に該第３光源からの光束の入射方向と異なった方向から入射する該第１色光及び該第２色光とを合成した光束を該出射方向に導いており、
該第２偏光分離面が、該第２部分光と、該第２偏光分離面に該第３光源側の光束の入射方向と異なった方向から入射する該第１色光及び該第２色光とを合成した光束を該出射方向に導いていることを特徴としている。
【００２１】
この他本発明の光源装置は、
互いに異なる色光を放射する３つの光源と、
該３つの光源からの各光束の偏光状態を揃え、合成する偏光変換手段と、λ／４板と、反射面とを有し、
該偏光変換手段を介した光束を出射方向に発する光源装置であって、
該偏光変換手段は、所定の色光に対しては偏光分離作用を有する第１の偏光分離面を含む第１のプリズム素子と、第２の偏光分離面を含む第２のプリズム素子と、を有しており、
第１、第２のプリズム素子は各々４つの透過面を有し、該第１、第２の偏光分離面は該第１、第２のプリズムの内部にそれぞれの透過面に対して４５°の角度で配置されており、
該第１、第２のプリズムの各々の４つの透過面のうち、それぞれ１つの透過面１ａ、２ａは該偏光変換手段の出射面を構成しており、
第１のプリズム素子と第２のプリズム素子はそれぞれの１つの透過面が近接又は接着して配置されており、
該３つの光源のうち少なくとも１つの光源は、光源光軸が該出射面の法線方向とは直交するように配置されており、
該１つの光源からの光束は該第１のプリズム素子の透過面１ａとは異なる面から入射し、第１の偏光方向の光は該第１の偏光分離面において該透過面１ａに向けて光が反射され、第１の偏光方向と直交する第２の偏光方向の光は第２のプリズム素子に入射し、
該第２のプリズム素子に入射した第２の偏光方向の光は、第２の偏光分離面を介して、該λ／４板を透過し、該反射ミラーで反射し、再び該λ／４板を透過して、第２のプリズム素子に、第１の偏光方向の光として再入射して、該第２の偏光分離面を介して該第２のプリズム素子の透過面２ａに向けて光が反射され、
該１つの光源以外の光源からの光は、該第１、第２のプリズム素子の、該１つの光源からの光が該透過面１ａ、２ａに至る間に透過する該４つの透過面のうちの３つの透過面とは異なる透過面から入射し、それぞれ該第１、第２の偏光分離面を介して該透過面１ａ、２ａから出射するように構成されていることを特徴としている。
【００２２】
この他本発明の光源装置は、
互いに異なる色光を放射する３つの光源と、
該３つの光源からの各光束の偏光状態を揃え、合成する偏光変換手段と、λ／４板と、反射面とを有し、
該偏光変換手段を介した光束を出射方向に発する光源装置であって、
該偏光変換手段は、所定の色光に対しては偏光分離作用を有する第１の偏光分離面を含む第１のプリズム素子と、第２の偏光分離面を含む第２のプリズム素子と、を有しており、
第１のプリズム素子は透過面１ａ、１ｂ、１ｃ、１ｄを、第２のプリズム素子は透過面２ａ、２ｂ、２ｃ、２ｄを有し、該第１、第２の偏光分離面は該第１、第２のプリズムの内部にそれぞれの透過面に対して４５°の角度で配置されており、
前記透過面１ａ、２ａは該偏光変換手段の出射面を構成しており、
前記透過面１ｂ、２ｂは互いに対向して配置されており、
該３つの光源のうち少なくとも１つの光源は、光源光軸が該出射面の法線方向とは直交するように配置されており、
該１つの光源からの光束は該透過面１ｃから入射し、第１の偏光方向の光は該第１の偏光分離面において該透過面１ａに向けて光が反射され、
第１の偏光方向と直交する第２の偏光方向の光は前記透過面１ｂ、２ｂを透過して第２のプリズム素子に入射し、該第２のプリズム素子に入射した第２の偏光方向の光は、第２の偏光分離面を介して、該透過面２ｃ、該λ／４板を透過し、該反射ミラーで反射し、再び該λ／４板、該透過面２ｃを透過して、第２のプリズム素子に、第１の偏光方向の光として再入射して、該第２の偏光分離面を介して該透過面２ａに向けて光が反射され、
該１つの光源以外の光源からの光は、該透過面１ｄ、２ｄを透過して前記第１、２のプリズム素子に入射し、それぞれ該第１、第２の偏光分離面を介して該透過面１ａ、２ａから出射するように構成されていることを特徴としている。
【発明の効果】
【００２３】
本発明によれば、装置全体の小型化を図りつつ、偏光状態を揃えて各色光を同一方向から出射することができ、被照射面を明るく、かつ各色光で均一に照明することができる光源装置及びそれを有する照明装置が得られる。
【発明を実施するための最良の形態】
【００２４】
【実施例１】
【００２５】
図１は、本発明の光源装置を有する照明装置からの光束で照明された画像表示素子（液晶パネル）を投射光学系を用いて所定面上に投射する画像投射装置の実施例１の要部概略図である。
【００２６】
図１において、２２は各色光の出射方向を揃えて合成して白色光として出射する光源装置である。１８、２０は偏光板、１９は液晶パネル（画像表示素子）、１５は投射光学系である。
【００２７】
本発明の光源装置２２は、第１色光を発する第１光源１と、第２色光を発する第２光源２と、第３色光を発する第３光源３を有している。更に第１の偏光分離面と、第１偏光分離面と非平行に配置された第２偏光分離面と、１／４位相差板（λ／４板）５と、反射面６と、を有し、第１、第２、第３色光を合成した光束を出射方向に発している。
【００２８】
光源装置２２は赤色（第１色光）を発するＬＥＤ光源（Ｒ光源、第１光源）１、緑色（第２色光）を発するＬＥＤ光源（Ｇ光源、第２光源）２、青色（第３色光）を発するＬＥＤ光源（Ｂ光源、第３光源）３を有している。更に分離膜（偏光分離面）７〜１２を含むプリズム素子４２〜４７、λ／４板（１／４位相差板）５、反射ミラー（反射面）６を有している。
【００２９】
光源装置２２における光学作用は次のとおりである。
【００３０】
１７は、光源装置２２から液晶パネル１９に放射される照明光の方向（出射方向）であり、投射光学系１５の光軸に相当している。
【００３１】
赤色（Ｒ光）を発するＬＥＤ光源（Ｒ光源）１は、ＬＥＤ光源１の光が放射する方向である光軸１４Ｒが照明光の方向（照明方向）１７に対して直交するように配置されている。
【００３２】
ＬＥＤ光源１から発せられた赤色のランダム偏光Ｒはプリズム素子４２に入射し、分離膜７に入射する。
【００３３】
分離膜７は図２に示す光学特性（模式化して示している。以下同じである。）をしており，赤光（波長６００ｎｍ〜波長７００ｎｍ）に対しては偏光分離作用を有する。
【００３４】
よって、入射した光のＳ偏光光（第１偏光光）Ｒｓ１は分離膜７で反射し、照明光の方向１７に向かう。
【００３５】
分離膜７を反射したＳ偏光光Ｒｓ１はプリズム素子４４に入射し、分離膜９に入射する。
分離膜９は図３に示す光学特性をしており、赤色のＳ偏光光Ｒｓ１は透過する。分離膜９を透過したＳ偏光光Ｒｓ１はプリズム素子４６に入射し、分離膜１１に入射する。分離膜１１は図４に示す光学特性をしており、赤色のＳ偏光光Ｒｓ１は透過する。
【００３６】
これによりＳ偏光光Ｒｓ１は光源手段２２の出射面である面１３から放射する。
【００３７】
また、分離膜７を透過した赤色のＰ偏光（第２偏光光）Ｒｐ１は分離膜７を透過して、プリズム素子４３に入射し、分離膜８に入射する。
【００３８】
分離膜８は図２の光学特性をしており、赤色のＰ偏光Ｒｐ１は分離膜８も透過し、λ／４板５に入射する。
【００３９】
λ／４板５は、偏光の振動方向に対して進相軸をほぼ４５°傾けており、Ｐ偏光光Ｒｐ１は円偏光に変換され、反射ミラー６で反射され、再度λ／４板５に入射し、Ｓ偏光に変換されＳ偏光光Ｒｓ２となる。Ｓ偏光光Ｒｓ２は分離膜８で反射し、照明光の方向１７に向かう。
【００４０】
分離膜８を反射したＳ偏光光Ｒｓ２はプリズム素子４５に入射し、分離膜１０に入射する。分離膜１０は図３に示す光学特性をしており、赤色のＳ偏光光Ｐｓ２は透過する。分離膜１０を透過したＳ偏光光Ｒｓ２はプリズム素子４７に入射し、分離膜１２に入射する。
【００４１】
分離膜１２は図４に示す光学特性をしており、赤色のＳ偏光光Ｒｓ２は透過する。これによりＳ偏光光Ｒｓ２は光源装置２２の出射面である面１３から放射する。
【００４２】
緑色（Ｇ光）（波長５００ｎｍ〜波長６００ｎｍ）を発するＬＥＤ光源（Ｇ光源）２は、ＬＥＤ光源２の光が放射する方向である光軸１４Ｇが照明光の方向１７に対して直交するように配置されている。
【００４３】
ＬＥＤ光源２から発せられた緑色のランダム偏光Ｇはプリズム素子４４に入射し、分離膜９に入射する。
【００４４】
分離膜９は図３に示す光学特性をしており，緑光に対しては偏光分離作用を有する。よって、入射した光のＳ偏光光Ｇｓ１は分離膜９で反射し，照明光の方向１７に向かう。
【００４５】
分離膜９を反射したＳ偏光光Ｇｓ１はプリズム素子４６に入射し、分離膜１１に入射する。
【００４６】
分離膜１１は図４に示す光学特性をしており、緑色のＳ偏光Ｇｓ１光は透過する。これによりＳ偏光光Ｇｓ１光源装置２２の出射面である面１３から放射する。
【００４７】
また、分離膜９を透過した緑色のＰ偏光Ｇｐ１は分離膜９を透過して、プリズム素子４５に入射し、分離膜１０に入射する。
【００４８】
分離膜１０は図３の光学特性をしており、緑色のＰ偏光Ｇｐ１は分離膜１０も透過し、λ／４板５に入射する。
【００４９】
λ／４板５は、偏光の振動方向に対して進相軸をほぼ４５°傾けており、偏光光Ｇｐ１は円偏光に変換され、反射ミラー６で反射され、再度λ／４板５に入射し、Ｓ偏光に変換されＳ偏光光Ｇｓ２となる。Ｓ偏光光Ｇｓ２は分離膜１０で反射し、照明光の方向１７に向かう。
【００５０】
分離膜１０を反射したＳ偏光光Ｇｓ２はプリズム素子４７に入射し、分離膜１２に入射する。分離膜１２は図４に示す光学特性をしており、緑色のＳ偏光光Ｇｓ２は透過する。
【００５１】
これによりＳ偏光光Ｇｓ２は光源装置２２の出射面である面１３から放射する。青色（Ｂ光）（波長４００ｎｍ〜波長５００ｎｍ）を発するＬＥＤ光源（Ｂ光源）３は、ＬＥＤ光源３の光が放射する方向である光軸１４Ｂが照明光の方向１７に対して直交するように配置されている。
【００５２】
ＬＥＤ光源３から発せられた青色のランダム偏光Ｂはプリズム素子４６に入射し、分離膜（第１偏光分離面）１１に入射する。
【００５３】
分離膜１１は図４に示す光学特性をしており，青光に対しては偏光分離作用を有する。よって、入射した光のＳ偏光光（第１偏光光）Ｂｓ１の第１部分光は分離膜１１で反射し、照明光の方向（出射方向）１７に向かう。
【００５４】
これにより光源装置２２の出射面である面１３から放射する。また、分離膜１１を透過した青色のＰ偏光（第２偏光光）Ｂｐ１の第２部分光は分離膜１１を透過して、プリズム素子４７に入射し、分離膜（第２偏光分離面）１２に入射する。
【００５５】
偏光変換手段を構成する第１偏光分離面１１と第２偏光分離面１２とは直交している。
【００５６】
分離膜１２は図４の光学特性をしており、青色のＰ偏光Ｂｐ１は分離膜１２も透過し、λ／４板５に入射する。
【００５７】
λ／４板５は、偏光の振動方向に対して進相軸をほぼ４５°傾けており、光は円偏光に変換され、反射ミラー６で反射され、再度λ／４板５に入射し、Ｓ偏光に変換されＳ偏光光Ｂｓ２となる。Ｓ偏光光Ｂｓ２は分離膜１２で反射し、照明光の方向１７に向かう。
【００５８】
これによりＳ偏光光Ｂｓ２は光源装置２２の出射面である面１３から放射する。
【００５９】
このとき出射方向１７から出射する第１、第２、第３色光の偏光状態は同じである。
【００６０】
以上のように本実施例では、第３光源３からの第３色光のうち第１偏光光の第１部分光は、第１偏光分離面１１に第３光源側３から入射し、第１偏光分離面１１によって反射されて出射方向に導かれる。
【００６１】
第３色光のうち第１偏光光と偏光方向が直交する第２偏光光の第２部分光は、第１偏光分離面１１及び第２偏光分離面１２を透過し、１／４位相差板５、反射面６、再度、１／４位相差板５を経る。
【００６２】
これにより偏光方向を９０度回転される。その後、第２偏光分離面１２に第３光源３の反対側から入射し、第２偏光分離面１２で反射されて出射方向１７に導かれる。
【００６３】
第１偏光分離面１１が、第１部分光と、第１偏光分離面１１に第１光源３からの光束の入射方向と異なった方向から入射する第１色光及び第２色光とを合成した光束を出射方向１７に導いている。
【００６４】
第２偏光分離面１２が、第２部分光と、第２偏光分離面１２に第３光源３側の光束の入射方向と異なった方向から入射する第１色光及び第２色光とを合成した光束を出射方向１７に導いている。
【００６５】
次に光源１、２、３の構成について図１２を用いて説明する。
【００６６】
図１２は光源１、２、３のうちの１つを光源部４０として示している。
【００６７】
光源部４０は発光部４１および平行化レンズ４２を有している。発光部４１からの発光光束に含まれる拡散光を平行化レンズ４２によって光源光軸（１４Ｒ、１４Ｇ、１４Ｂ）に平行な光として出射している。各実施例の説明に用いる図では簡単のため光束を細線で表記してある。
【００６８】
ここで、プリズム素子４６、４７等を有する偏光変換部（偏光変換手段）で偏光変換される色光を発する光源（本実施例では青色のＬＥＤ光源３）の光軸（光源光軸）１４Ｂは、照明光の放射方向１７に対して直交している。
【００６９】
さらに、図１４に示すようにこの偏光変換部を構成するプリズム素子（第１のプリズム素子）４６には４つの透過面が設けられている。一つ目が青色光が入射する面４６ａ（透過面１ｃ）であり、二つ目が青色光の第１の偏光光（Ｓ偏光光）及び他の色光が出射する面４６ｂ（透過面１ａ）である。三つ目は、プリズム素子（第２のプリズム素子）４７と対向し、青色光の第２の偏光光（Ｐ偏光光）が出射する面４６ｃ（透過面１ｂ）である。四つ目が、青色光以外の赤、緑色光が入射する面４６ｄ（透過面１ｄ）である。これらの４つの透過面４６ａ、４６ｂ、４６ｃ、４６ｄ（透過面１ｃ、透過面１ａ、透過面１ｂ、透過面１ｄ）は、プリズム素子４６（第１のプリズム素子）のそれぞれ異なる面であり、ある直線（図１４の紙面に垂直な直線）に対して平行な面である。
【００７０】
さらに、プリズム素子（第２のプリズム素子）４７にも４つの透過面が設けられている。一つ目がプリズム素子４６（第１のプリズム素子）と対向して配置され、第２の偏光光（Ｐ偏光光）の青色光が入射する面４７ａ（透過面２ｂ）である。二つ目が青色光の第１の偏光光（Ｓ偏光光）及び他の色光が出射する面４７ｃ（透過面２ａ）である。三つ目は、第２の偏光光（Ｐ偏光光）の青色光が出射して、λ／４板５、ミラー６を経て再び入射する透過面４７ｂ（透過面２ｃ）である。四つ目が、青色以外の赤、緑色光が入射する面４７ｄ（透過面２ｄ）である。これらの４つの透過面４７ａ、４７ｂ、４７ｃ、４７ｄ（透過面２ｂ、透過面２ｃ、透過面２ａ、透過面２ｄ）は、プリズム素子４７（第２のプリズム素子）のそれぞれ異なる面であり、ある直線（図１４の紙面に垂直な直線）に対して平行な面である。
【００７１】
尚、本実施例において、これらのプリズム素子４６、４７において対向する面同士は接着されているが、その限りでは無く、近接させるだけでも良いし、接着していなくても密接させていればそれで足りる。
【００７２】
このように複数個のプリズム素子４６，４７に入射した赤、緑色光は、照明光の出射面１３から照明光が放射する方向１７に放射されるので、３色の光は重なるように合成される事になる。
【００７３】
この実施例では偏光変換手段を構成するプリズム素子４６、４７を異なる素子として表わしているが、図１３のようにプリズム素子４６とプリズム素子４７の隣接する面（４６ｃ、４６ｄ）を一体化した構成としても良い。
【００７４】
このときは、分離膜１１の部分を一つのプリズム素子とし、分離膜１２の部分を１つのプリズム素子と考えれば本実施例の作用は同じように得られる。
【００７５】
カラー表示を行うためにＲＧＢ光源１、２、３を順次、時分割で発光させる。液晶パネル１９は照射される色光に応じた信号と同期させて時分割で駆動する。
【００７６】
時分割の設定や発光させる色の組み合せは任意であり、例えば１／２４０ｓ毎にＲ、Ｇ、Ｂ、光とＷ（白色）光を発光させるサイクルでも可能な構成となっている。
【００７７】
Ｗ（白色）光はＲ、Ｇ、Ｂ光源１、２、３を同時に発光させる事で実現できる。
【００７８】
本実施例では光源１、２、３から出射される光はＲ、Ｇ、Ｂ光が同一方向から出射して、同一条件で液晶パネルを照射できる。又これらの色光は完全に重なった状態の光（白色光）であるため、液晶パネル１９に重ね合わせて照射するための光学系を設けなくても良い。かつ光源装置２２の幅が小型であるため簡単で小型な画像投射装置を提供することができる。
【００７９】
本実施例では以上の構成により液晶パネル１９に基づく画像を被照射面、例えばスクリーン面に投射光学系１５によって投射している。
【００８０】
実施例中の位相板（λ／４板）５は、光路ごとに異なる仕様のλ／４板を用いても良い。
【実施例２】
【００８１】
図５は本発明の実施例２の画像投射装置の要部概略図である。
【００８２】
本実施例の照明光学系は任意の２色光の偏光分離および色合成を１種類の膜で行う構成の光源手段を用いている。図５において図１に示す部材と同一の部材には同符番を付している。
【００８３】
図５において３４は光源装置である。記述しない点においては実施例１同様である。
【００８４】
実施例２は、実施例１に対して、λ／４板２３、反射ミラー２４、光源装置３４の出射面１３側に特定波長だけ９０°位相を回転させる偏光回転素子２５をさらに設けている。
【００８５】
本実施例における各部材の光学特性について説明する。
【００８６】
赤色（Ｒ光）を発するＬＥＤ光源１は、ＬＥＤ光源１の光が放射する方向である光軸１４Ｒが照明光の方向１７に対して平行になるように配置されている。
【００８７】
ＬＥＤ光源１から発せられた赤色のランダム偏光Ｒはプリズム素子４４に入射し、分離膜７に入射する。
【００８８】
分離膜７は図２に示す光学特性をしており，赤光に対しては偏光分離作用を有する。
【００８９】
よって、入射した光のＰ偏光光Ｒｐ１は分離膜７を透過し，照明光の方向１７に向かう。
【００９０】
分離膜７を透過したＰ偏光光Ｒｐ１はプリズム素子４６に入射し、分離膜（第１偏光分離面）１１に入射する。
【００９１】
分離膜１１は図４に示す光学特性をしており、赤色のＰ偏光光Ｒｐ１は透過し、偏光回転素子２５に入射する。前記偏光回転素子はＲ光に対しては偏光方向を９０°回転させる作用を有する。
【００９２】
よって、入射した光のＰ偏光光Ｒｐ１は偏光回転素子２５でＳ偏光光Ｒｓ１となり照明光の方向１７に向かう。
【００９３】
これにより光源装置３４の出射面である面４８から放射する。
【００９４】
また、プリズム４４に入射した光のＳ偏光光Ｒｓ１は分離膜７で反射し，プリズム素子４５に入射し、分離膜８に入射する。分離膜８は図２に示す光学特性をしており、赤色のＳ偏光光Ｒｓ１は反射し、λ／４板２３に入射する。
【００９５】
λ／４板２３は、偏光の振動方向に対して進相軸をほぼ４５°傾けており、光は円偏光に変換され、反射ミラー２４で反射され、再度λ／４板２３に入射し、Ｐ偏光に変換されＰ偏光光Ｒｐ２となる。
【００９６】
Ｐ偏光光Ｒｐ２は分離膜８を透過し、照明光の方向１７に向かう。
【００９７】
分離膜８を透過したＰ偏光光Ｒｐ２はプリズム素子４７に入射し、分離膜（第２偏光分離面）１２に入射する。
【００９８】
分離膜１２は図４に示す光学特性をしており、赤色のＰ偏光光Ｒｐ２は透過し、偏光回転素子２５に入射する。前記偏光回転素子２５はＲ光に対しては偏光方向を９０°回転させる作用を有する。
【００９９】
よって、入射した光のＰ偏光光Ｒｐ２は偏光回転素子２５でＳ偏光光Ｒｓ２となり照明光の方向１７に向かう。
【０１００】
これによりＳ偏光光Ｒｓ２は光源装置３４の出射面である面４８から放射する。
【０１０１】
Ｇ光源２、Ｂ光源３からの光は実施例１と同様の構成の部材を介して、光源装置３４からＳ偏光で出射される。
【０１０２】
この形態では実施例１に対してさらに光源装置３４が小さくできるため、画像投射装置の更なる小型化が容易となる。
【実施例３】
【０１０３】
図６は本発明の実施例３の画像投射装置の要部概略図である。
【０１０４】
本実施例は照明装置の一部にダイクロイックミラーとλ／４板からなる偏光変換手段を有する光源装置を用いている。
【０１０５】
図６において図１に示す部材と同一部材には同符番を付している。３５は光源装置である。記述しない点においては実施例１同様である。
【０１０６】
実施例３は実施例１の構成に対して、Ｇ（Ｇ光）反射ダイクロ２６、λ／４板２７、２８、Ｒ（Ｒ光）反射ダイクロ２９、光源装置３５の出射面１３側に特定波長（Ｂ光）だけ９０°位相を回転させる偏光回転素子１６をさらに設けている。
【０１０７】
本実施例は液晶パネル１９に入射する光はＰ偏光光である。
【０１０８】
本実施例における各部材の光学特性について説明する。
【０１０９】
赤色（Ｒ光）を発するＬＥＤ光源１は、ＬＥＤ光源１の光が放射する方向である光軸１４Ｒが照明光の方向（出射方向）１７に対して平行になるように配置されている。
【０１１０】
ＬＥＤ光源１から発せられた赤色のランダム偏光ＲはＧ反射ダイクロイックミラー２６に入射する。Ｇ反射ダイクロイックミラー２６は図７に示す光学特性をしており、赤光に対しては透過作用を有する。
【０１１１】
よって、Ｒ光はＧ反射ダイクロイックミラー２６を透過してさらにλ／４板２７を透過してプリズム素子４６に入射し、分離膜（第１偏光分離面）７に入射する。
【０１１２】
分離膜７は図２に示す光学特性をしており，赤光に対しては偏光分離作用を有する。
【０１１３】
よって、入射した光のＰ偏光光Ｒｐ１は分離膜７を透過し，偏光回転素子１６を透過して照明光の方向１７に向かう。
【０１１４】
これによりＰ偏光光Ｒｐ１は光源装置３５の出射面である面４８から放射する。
【０１１５】
また、入射した光のＳ偏光光Ｒｓ１は分離膜７で反射し、プリズム素子４７に入射し、分離膜（第２偏光分離面）８に入射する。分離膜８は図２に示す光学特性をしており、赤色のＳ偏光光Ｒｓ１は反射し、λ／４板２８に入射する。
【０１１６】
λ／４板２８は、偏光の振動方向に対して進相軸をほぼ４５°傾けており、光は円偏光に変換され、Ｒ反射ダイクロイックミラー２９に入射する。Ｒ反射ダイクロイックミラー２９は図８に示す光学特性をしており、赤光に対しては反射作用を有する。
【０１１７】
よって、Ｒ光はＲ反射ダイクロイックミラー２９で反射され、再度λ／４板２８に入射し、Ｐ偏光に変換されＰ偏光光Ｒｐ２となる。
【０１１８】
Ｐ偏光光Ｒｐ２は分離膜８を透過し、偏光回転素子１６を透過して照明光の方向１７に向かう。
【０１１９】
これによりＰ偏光光Ｒｐ２は光源装置３５の出射面である面４８から放射する。
【０１２０】
緑色（Ｇ光）を発するＬＥＤ光源２は、ＬＥＤ光源２の光が放射する方向である光軸１４Ｇが照明光の方向１７に対して平行になるように配置されている。
【０１２１】
ＬＥＤ光源２から発せられた緑色のランダム偏光ＧはＲ反射ダイクロイックミラー２９に入射する。Ｒ反射ダイクロイックミラー２９は図８に示す光学特性をしており，緑光に対しては透過作用を有する。よって、Ｇ光はＲ反射ダイクロイックミラー２９を透過してさらにλ／４板２８を透過してプリズム素子４７に入射し、分離膜８に入射する。
【０１２２】
分離膜８は図２に示す光学特性をしており，緑光に対しては偏光分離作用を有する。
【０１２３】
よって、入射した光のＰ偏光光Ｇｐ１は分離膜８を透過し，偏光回転素子１６を透過して照明光の方向（出射方向）１７に向かう。
【０１２４】
これによりＰ偏光光Ｇｐ１は、光源装置３５の出射面である面４８から放射する。
【０１２５】
また、入射した光のＳ偏光光Ｇｓ１は分離膜８で反射し，プリズム素子４６に入射し、分離膜７に入射する。分離膜７は図２に示す光学特性をしており、緑色のＳ偏光光は反射し、λ／４板２７に入射する。
【０１２６】
λ／４板２７は、偏光の振動方向に対して進相軸をほぼ４５°傾けており、光は円偏光に変換され、Ｇ反射ダイクロイックミラー２６に入射する。Ｇ反射ダイクロイックミラー２６は図７に示す光学特性をしており、緑光に対しては反射作用を有する。
【０１２７】
よって、Ｇ光はＧ反射ダイクロイックミラー２６で反射され、再度λ／４板２７に入射し、Ｐ偏光に変換されＰ偏光光Ｇｐ２となる。
【０１２８】
Ｐ偏光光Ｇｐ２は分離膜７を透過し、偏光回転素子１６を透過して照明光の方向１７に向かう。
【０１２９】
これによりＰ偏光光Ｇｐ２は光源装置３５の出射面である面４８から放射する。
【０１３０】
青色（Ｂ光）を発するＬＥＤ光源（第３光源）３は、ＬＥＤ光源３の光が放射する方向である光軸１４Ｂが照明光の方向１７に対して直交するように配置されている。
【０１３１】
ＬＥＤ光源３から発せられた青色のランダム偏光Ｂはプリズム素子４６に入射し、分離膜（第１偏光分離面）７に入射する。
【０１３２】
分離膜７は図２に示す光学特性をしており，青光に対しては偏光分離作用を有する。
【０１３３】
よって、入射した光のＳ偏光光（第１偏光光）Ｂｓ１の第１部分光は分離膜７で反射し、偏光回転素子１６に入射する。前記偏光回転素子１６はＢ光に対しては偏光方向を９０°回転させる作用を有する。
【０１３４】
よって、入射した光のＳ偏光光Ｂｓ１は偏光回転素子１６でＰ偏光光Ｂｐ１となり照明光の方向１７に向かう。
【０１３５】
これによりＰ偏光光Ｂｐ１は、光源装置３５の出射面である面４８から放射する。
【０１３６】
また、分離膜７を透過した青色のＰ偏光（第２偏光光）Ｂｐ１は分離膜７を透過して、プリズム素子４７に入射し、分離膜（第２偏光分離面）８に入射する。
【０１３７】
分離膜８は図２の光学特性をしており、青色のＰ偏光Ｂｐ１は分離膜８も透過し、λ／４板５に入射する。
【０１３８】
λ／４板５は、偏光の振動方向に対して進相軸をほぼ４５°傾けており、光は円偏光に変換され、反射ミラー６で反射され、再度λ／４板５に入射し、Ｓ偏光に変換されＳ偏光光Ｂｓ２となる。
【０１３９】
Ｓ偏光光Ｂｓ２は分離膜８で反射し、偏光回転素子１６に入射する。偏光回転素子はＢ光に対しては偏光方向を９０°回転させる作用を有する。
【０１４０】
よって、入射した光のＳ偏光光Ｂｓ２は偏光回転素子１６でＰ偏光光Ｂｐ２となり照明光の方向１７に向かう。
【０１４１】
これによりＰ偏光光Ｂｐ２は光源装置３５の出射面である面４８から放射する。
【０１４２】
偏光回転素子１６は本実施例の構成を限定するものではなく、必要に応じて任意に光源手段３５から出射される色光の偏光方向を制御することができる。
【０１４３】
この形態では実施例１に対してガラス部材を減らし、かつ光源装置３５を小型化できるため画像投射装置の小型軽量化が容易となる。
【０１４４】
以上のように実施例１、３では第３光源３は、第１、第２光源２、３が光を発する方向に対して直交する方向又は平行方向に光を発している。
【０１４５】
第１光源１は、第３光源３が光を発する方向に対して直交する方向に光を発し、前記第２光源は、前記第１光源が光を発する方向に対して平行方向に光を発している。
【０１４６】
以上のように実施例１〜３の光源装置では、互いに異なる色光を放射する３つの光源１、２、３と、３つの光源１、２、３からの各光束の偏光状態を揃え、合成する偏光変換手段とλ／４板と、反射面とを有している。偏光変換手段を介した光束を出射方向に発する光源装置である。
【０１４７】
これによって、被照射面を異なった色光で同一方向から照射して、被照射面に配置した画像表示素子に基づく画像を投射するとき、投射画像に色ムラが少なくなるようにしている。
【０１４８】
偏光変換手段は、所定の色光に対しては偏光分離作用を有する第１の偏光分離面（１１、７）を含む第１のプリズム素子４６と、第２の偏光分離面（１２、８）を含む第２のプリズム素子４７と、を有している。
【０１４９】
第１、第２のプリズム素子は各々４つの透過面を有し、第１、第２の偏光分離面は第１、第２のプリズムの内部にそれぞれの透過面に対して４５°の角度で配置されている。
【０１５０】
第１、第２のプリズム４６、４７の各々の４つの透過面のうち、それぞれ１つの透過面１ａ、２ａは偏光変換手段の出射面を構成している。
【０１５１】
第１のプリズム素子４６と第２のプリズム素子４７はそれぞれの１つの透過面が近接又は接着して配置されている。
【０１５２】
３つの光源１、２、３のうち少なくとも１つの光源３は、光源光軸が出射面の法線方向とは直交するように配置されている。
【０１５３】
１つの光源３からの光束は第１のプリズム素子４６の透過面１ａとは異なる面から入射し、第１の偏光方向の光は該第１の偏光分離面において該透過面１ａに向けて光が反射され、第１の偏光方向と直交する第２の偏光方向の光は第２のプリズム素子に入射する。
【０１５４】
第２のプリズム素子４７に入射した第２の偏光方向の光は、第２の偏光分離面を介して、該λ／４板を透過し、該反射ミラーで反射し、再び該λ／４板を透過して、第２のプリズム素子４７に、第１の偏光方向の光として再入射する。そして第２の偏光分離面を介して第２のプリズム素子４７の透過面２ａに向けて光が反射される。
【０１５５】
光源３の１つの光源以外の光源１、２からの光は、第１、第２のプリズム素子４６、４７中の、１つの光源３からの光が該透過面１ａ、２ａに至る間に透過する３つの透過面とは異なる透過面から入射している。そして、それぞれ第１、第２の偏光分離面を介して透過面１ａ、２ａから出射する。
【０１５６】
尚、各実施例における偏光変換手段は、３つの光源からの光のうち、任意の２色光の偏光分離および色合成を行っている。
【０１５７】
各実施例の光源装置は、以上の構成を有している。
【０１５８】
これによって装置全体の小型化を図りつつ、偏光状態を揃えて各色光を同一方向から出射することができ、被照射面を明るく、かつ各色光で均一に照明することができる光源装置を達成している。
【実施例４】
【０１５９】
図９は本発明の実施例４の画像投射装置に係る光源装置の要部概略図である。
【０１６０】
本実施例は照明光の方向（出射方向）（Ｚ方向）１７および光源１、２、３の光軸１４Ｒ、１４Ｇ、１４Ｂ（Ｘ方向）を含平面として定義される平面をＸＺ面とする。このＸＺ面に対して垂直である軸方向（Ｙ方向）３２に光源装置を複数個（図９では２個）２２ａ、２２ｂ並べたことを特徴としている。記述しない点においては実施例１同様である。
【０１６１】
図９において１ａａ、１ｂｂ、２ａａ、２ｂｂ、３ａａ、３ｂｂは光源である。
【０１６２】
本実施例では光源装置から出射される光束の出射方向と１つの光源の光源光軸を含む平面に対して垂直方向に前記光源装置が複数個並べられている。
【０１６３】
本実施例の構成の光源装置２２ａ、２２ｂを用いることで光源装置から出射される光束の出射面３３を液晶パネルの大きさやアスペクト比等に合わせて任意の幅の光束にする事ができ、光利用効率が高い画像投射装置を提供することができる。
【０１６４】
光源手段の数は２以上いくつあっても良い。
【０１６５】
本実施例において光源手段として実施例２の光源手段３４および実施例３の光源手段３５を用いてもよい。
【実施例５】
【０１６６】
図１０は本発明の実施例５の画像投射装置に係る光源装置の要部概略図である。
【０１６７】
本実施例は、実施例１の光源装置２２が反射ミラー６を介して対称に向き合って対向する位置している。このように２つの光源装置２２ｃ、２２ｄを配置することを特徴としている。記述しない点においては実施例１同様である。
【０１６８】
図１０では反射ミラー６を中心として左右反転させた位置に実施例１と同様の光源装置２２ｃ、２２ｄを１組配置し、照明を効果的に行っている。
【０１６９】
光源装置２２ｃ、２２ｄから出射される光束の出射面３３を液晶パネル１９の大きさやアスペクト比等に合わせて任意の幅の光束にする事ができ、光利用効率が高い画像投射装置を提供することができる。
【０１７０】
このときミラー６は両平面を反射面として１枚で構成する事も可能である。また、実施例４と同様に垂直方向の軸３２に沿って複数個の光源装置を並べても良い。
【０１７１】
また、光源装置として実施例２の光源装置３４および実施例３の光源装置３５を用いてもよい。
【実施例６】
【０１７２】
図１１は本発明の実施例６の画像投射装置に係る照明装置の要部概略図である。
【０１７３】
本実施例は図１の光源装置の光出射側にさらにインテグレーター照明部３６を設けたことを特徴としている。記述しない点においては実施例１同様である。
【０１７４】
本実施例では光源装置２２の出射面である面１３と入射側の偏光板１８の間にインテグレーター照明部３６を配置している。
【０１７５】
インテグレーター照明部３６は第一インテグレータレンズ３７、第二インテグレータレンズ３８、コンデンサーレンズ３９を有している。
【０１７６】
光源装置２２から出射される光束に輝度むらがある場合でもインテグレーター照明部３６により、液晶パネル１９面上では均一に照明することができる。このため品質の高い画像投射装置を提供することができる。
【０１７７】
ここで、第一インテグレータレンズ３７、第二インテグレータレンズ３８のレンズセル数は任意に設定することができる。
【図面の簡単な説明】
【０１７８】
【図１】本発明の実施例１における光学構成図
【図２】本発明の実施例１における分離膜の特性図
【図３】本発明の実施例１における分離膜の特性図
【図４】本発明の実施例１における分離膜の特性図
【図５】本発明の実施例２における光学構成図
【図６】本発明の実施例３における光学構成図
【図７】本発明の実施例３におけるＧ光反射のダイクロイックミラーの特性図
【図８】本発明の実施例３におけるＲ光反射のダイクロイックミラーの特性図
【図９】本発明の実施例４における構成図
【図１０】本発明の実施例５における構成図
【図１１】本発明の実施例６における光学構成図
【図１２】光源装置の光源部の説明図
【図１３】光源装置の一部分の変形図
【図１４】光源装置の一部分の説明図
【符号の説明】
【０１７９】
１  ：赤色光源（第１光源）
２  ：緑色光源（第２光源）
３  ：青色光源（第３光源）
５、２３、２７、２８  ：λ／４板
６、２４    ：反射ミラー
７、８    ：分離膜
９、１０  ：分離膜
１１、１２：分離膜
１３  ：光源装置の光出射部
１４  ：光源の光軸方向
１５  ：投射光学系
１６  ：Ｂ偏光回転素子
１７  ：光源手段の光軸方向
１８  ：入射側偏光板
１９  ：液晶パネル
２０  ：出射側偏光板
２２  ：第１の実施例の光源装置
２５  ：Ｒ偏光回転素子
２６  ：Ｇ反射ダイクロイックミラー
２９  ：Ｒ反射ダイクロイックミラー
３２  ：実施例４の任意の軸
３３  ：光源の光束出射面
３４  ：第２の実施例の光源装置
３５  ：第３の実施例の光源装置
３６  ：インテグレーター照明光学系
３７  ：第１インテグレータレンズ
３８  ：第２インテグレータレンズ
３９  ：コンデンサーレンズ
４０  ：光源部
４１  ：発光部
４２  ：平行化レンズ
４２〜４７  ：プリズム素子
【図２】
2009003062.tif 000003
【図３】
2009003062.tif 000004
【図４】
2009003062.tif 000005
【図７】
2009003062.tif 000006
【図８】
2009003062.tif 000007
【図１】
2009003062.tif 000008
【図５】
2009003062.tif 000009
【図６】
2009003062.tif 000010
【図９】
2009003062.tif 000011
【図１０】
2009003062.tif 000012
【図１１】
2009003062.tif 000013
【図１２】
2009003062.tif 000014
【図１３】
2009003062.tif 000015
【図１４】
2009003062.tif 000016